(57)【特許請求の範囲】
【請求項１】
折りブレード胴（１１）を有する、折丁を折り畳むための印刷機の折り装置（１０）であって、折り畳むべき折丁（１５）を、前記折りブレード胴（１１）を介して前記折りブレード胴（１１）の下流に配置されたくわえ胴（２０）に横折りを行いながら送ることができる、折り装置（１０）において、胴（１２）が、前記折りブレード胴（１１）の上流に配置され、横折りを行う前に、前記胴（１２）上で任意の数の前記折丁（１５）を収集することができることを特徴とする、折り装置（１０）。
【請求項２】
前記胴（１２）がピン収集胴（１３）であり、前記収集胴（１３）上で前記折丁（１５）を串刺しにするために、前記ピン収集胴（１３）は、カウンタ胴（１４）またはテープラインと相互作用し、前記ピン収集胴（１３）上で、ｎ冊（ｎ＝１からＮ）の折丁（１５）を、ｎ冊の折丁が順次重ね合わされた折丁集積体の形で収集することができ、前記ｎ冊の折丁の前記折丁集積体を、前記ピン収集胴（１３）の下流に配置された前記折りブレード胴（１１）に移送することができることを特徴とする、請求項１に記載の折り装置。
【請求項３】
ピン（１６）が、前記カウンタ胴（１４）上で回転すると、前記カウンタ胴の陥凹部またはプラスチックストリップ（１７）に嵌まり込むことを特徴とする、請求項２に記載の折り装置。
【請求項４】
グリッパ胴として形成された折りブレード胴（１１）が前記ピン収集胴（１３）の下流に配置される場合、前記ピン収集胴（１３）のピン（１６）が固定して設計されることを特徴とする、請求項２または３に記載の折り装置。
【請求項５】
ピン胴として設計された折りブレード胴が前記ピン収集胴の下流に配置される場合、折丁集積体が前記ピン収集胴（１３）から前記折りブレード胴に移送される際に、前記ピン収集胴（１３）のピン（１６）を前記折丁集積体から係脱させることができる形で、前記ピン収集胴（１３）の前記ピン（１６）が再配置可能に形成されることを特徴とする、請求項２または３に記載の折り装置。
【請求項６】
前記ピン収集胴（１３）上で、折丁集積体として収集することができる前記折丁の最大冊数Ｎが、前記ピン収集胴（１３）と、前記ピン収集胴（１３）の下流に配置された前記折りブレード胴（１１）との間の胴間隙（１９）の幅に依存することを特徴とする、請求項２から５のいずれか一項に記載の折り装置。
【請求項７】
ウェブ状基材に判型可変に印刷するための印刷機であって、該印刷機は、印刷されたウェブ状基材から個々の折丁（１５）を判型可変に断裁するための断裁装置（２１）を有し、かつ前記折丁（１５）を折り畳む折り装置（１０）を有し、前記折り装置（１０）が、請求項１から６のいずれか一項に従って設計された、印刷機。
【請求項８】
前記個々の折丁（１５）の断裁の前に、基材ウェブを縦方向断裁部（２５）を有して、または有さずにそれぞれ縦折りするために、１または複数の四つ折り装置（２４）が前記断裁装置（２１）の上流に配置されることを特徴とする、請求項７に記載の印刷機。
【請求項９】
丁合機（２６）および四つ折り装置（２９）が、前記折り装置（１０）の前記くわえ胴（２０）の下流に配置され、第１の製造モードでは、前記くわえ胴（２０）の領域で横折りされた前記折丁（１５）を、前記丁合機（２６）上で収集することができ、その後、前記四つ折り装置（２９）の領域内で前記折丁（１５）に対して縦折りを行うことができ、その後、この工程で形成された印刷製品を、縦折り送達部（２７）を経由して送達することができ、第２の製造モードでは、前記くわえ胴（２０）の前記領域で横折りされた前記折丁（１５）を、前記丁合機（２６）および前記四つ折り装置（２９）を迂回しながら、横折り送達部（２８）を経由して送達することができることを特徴とする、請求項７または８に記載の印刷機。
【請求項１０】
前記折りブレード胴（１１）に、胴綴じ装置（３０）が割り当てられることを特徴とする、請求項７から９のいずれか一項に記載の印刷機。
【請求項１１】
請求項７から１０のいずれか一項に記載の印刷機を用いた大判印刷製品の製造方法であって、
−  基材ウェブ（３５）上に前記印刷製品の全面を水平に順次印刷する段階と、
−  その後、前記印刷製品のそれぞれの裏頁を含めて、それぞれが２頁分を備える折丁を前記基材ウェブ（３５）から断裁する段階と、
−  所望の冊数の折丁を収集胴（１２）上で収集する段階と、
−  その後、前記大判印刷製品（３１）のセクションまたはブックを形成するために、前記収集された折丁に横折りを施す段階と、
−  その後、所望の冊数のセクション／ブックを収集する段階と、
−  前記大判印刷製品を製造するために、前記収集されたセクション／ブックを最後に合わせて四つ折りする段階と、
−  前記大判印刷製品を送達する段階と
を含むことを特徴とする、方法。
【請求項１２】
請求項７から１０のいずれか一項に記載の印刷機を用いたタブロイド判印刷製品の製造方法であって、
−  基材ウェブ（４０）上に前記印刷製品の全面を水平に順次印刷する段階と、
−  その後、前記印刷製品のそれぞれの裏頁を含めて、それぞれが２頁分を備える折丁を前記基材ウェブ（４０）から断裁する段階と、
−  所望の冊数の折丁を収集胴（１２）上で収集する段階と、
−  その後、前記タブロイド判印刷製品（４１）の背（４２）を形成し、それによって前記タブロイド判印刷製品（４１）が完成するように、前記収集された折丁を横折りする段階と、
−  前記タブロイド判印刷製品（４１）を送達する段階と
を含むことを特徴とする、方法。
【請求項１３】
前記折丁が、一体に綴じられることを特徴とする、請求項１２に記載の方法。
【発明の詳細な説明】
【技術分野】
【０００１】
本発明は、請求項１のプリアンブルに記載の印刷機の折り装置に関する。本発明はさらに、かかる折り装置を有する印刷機、および印刷製品の製造方法に関する。
【背景技術】
【０００２】
慣例から、印刷機の折り装置が既知であり、こうした折り装置を用いて、印刷されたウェブ状基材から断裁された折丁に、横折り、および／または縦折りを行うことができる。ここでは、ピン折り装置とグリッパ折り装置とは原則として区別され、すなわち折り装置のいわゆる折りブレード胴に、その折りブレード胴で折り畳むべき折丁の位置を固定するのにピンが使用されているか、それともグリッパが使用されているかに依存して区別される。慣例から、折丁を折り畳むときに、複数の折丁を折丁集積体として収集することも同様に既知である。ここでは、慣例から既知の折り装置、すなわち既知のピン折り装置、ならびに既知のグリッパ折り装置のどちらを用いた場合にも、動作中に収集モードから非収集モードに変更することができず、この目的で製造をむしろ中断しなければならない。さらに、慣例から既知の折り装置を用いた収集動作の回数は限定され、すなわち２冊の折丁、あるいは３冊の折丁しか、折丁集積体として収集することができない。
【発明の概要】
【発明が解決しようとする課題】
【０００３】
上記から、本発明は、新型の印刷機の折り装置、ならびにかかる折り装置を備えたデジタル印刷機、ならびに印刷製品の製造方法を作成するという目的に基づく。
【課題を解決するための手段】
【０００４】
上記目的は、請求項１に記載の折り装置によって解決される。本発明によれば、くわえ胴領域で横折りを行う前に、その上で折丁を収集することができる胴が、折りブレード胴の上流に配置されている。
【０００５】
本発明による折り装置は、慣例から既知の折り装置の欠点を回避する。したがって、本発明による折り装置を用いると、動作中に、すなわち製造を継続しながら、収集モードと非収集モードとの間を行ったり来たり変更することが可能である。さらに、折丁集積体として収集することができる折丁の冊数はほぼ任意であり、同様に動作中に、収集すべき折丁の冊数を変更することができる。
【０００６】
本発明の有利なさらなる発展形態によれば、胴は、ピン収集胴として実施され、このピン収集胴は、カウンタ胴またはテープラインと相互作用し、このカウンタ胴またはテープラインは、ピン収集胴の所で、折丁をピン上へ摺動させ、ピン収集胴上では、ｎ冊（ｎ＝１からＮ）の折丁を、ｎ冊の折丁が順次重ね合わされた折丁集積体の形で収集することができ、この折丁集積体は、ピン収集胴の下流に配置された折りブレード胴に移送することができる。本発明に従って、折り装置の折りブレード胴の上流にピン収集胴を配置することによって、特に簡単な設計手段で、折り装置での製造を停止せずに、非収集モードと収集モードとの間を行ったり来たり変更して、ほぼ任意の冊数の折丁を収集することが可能となる。
【０００７】
あるいは、収集胴はまた、ピンの代わりにグリッパシステムを装備することもできる。
【０００８】
収集胴上で、折丁集積体として収集することができる折丁の最大冊数Ｎは、収集胴と、収集胴の下流に配置された折りブレード胴との間の胴間隙の幅に依存する。
【０００９】
本発明による印刷機が、請求項７に規定されている。
【００１０】
本発明による製造方法が、請求項１１および１２に規定されている。
【００１１】
本発明の好ましい発展形態が、従属請求項、および以下の説明から得られる。本発明の例示的な実施形態について、図面によってより詳細に説明するが、この図面に限定されるものではない。
【図面の簡単な説明】
【００１２】
【図１】本発明による印刷機の折り装置の詳細を示す図である。
【図２】本発明による折り装置を備えた、本発明による印刷機を示す図である。
【図３】大判印刷製品を示す図である。
【図４】タブロイド判印刷製品を示す図である。
【発明を実施するための形態】
【００１３】
図１は、折丁１５、または折丁集積体として組み合わされた折丁を少なくとも横折りする働きをする、本発明による印刷機の折り装置１０の概略的な詳細を示す。本発明の図示された好ましい例示的な実施形態では、折り装置１０は、グリッパ胴として設計された折りブレード胴１１を備え、このグリッパ胴を介して、折り畳むべき折丁１５をくわえ胴に送ることができ、くわえ胴は、図１には示されないが、折丁１５に少なくとも１回の横折りを行うために、折りブレード胴１１の下流に配置されている。くわえ胴２０は、図２に示されている。
【００１４】
胴１２が、折りブレード胴１１、または図１ではグリッパ胴１１の上流に配置されており、その上で折丁１５を収集することができ、胴１２はピン収集胴１３であり、カウンタ胴１４と相互作用する。
【００１５】
ピン収集胴１３上では、ｎ冊（ｎ＝１からＮ）の折丁を、ｎ冊の折丁１５が順次重ね合わされた折丁集積体の形で収集することができる。この折丁集積体は、ピン収集胴１３の下流に配置された折りブレード胴１１に移送することができる。
【００１６】
ピン収集胴１３は、ピン１６を備え、これらのピン１６は、カウンタ胴１４上で回転すると、カウンタ胴１４の陥凹部またはプラスチックストリップ１７に嵌まり込み、この工程において、ピン収集胴１３上で、収集すべき折丁１５を、順次重ね合わされた折丁集積体として束ねるために、収集すべき折丁１５を刺通する。陥凹部またはプラスチックストリップ１７の代わりに、カウンタ胴１４の胴全面に、ピンが入ることができる表面（例えば、ゴム、ブルコラン（Ｖｕｌｋｏｌａｎ）など）を設けることもやはり可能である。カウンタ胴の代わりに、ピン１６が収集すべき折丁１５を串刺しにすることを確実にする他の手段を設けることもやはり、考えられる。この目的で、例えば折丁をピン収集胴１３の表面に押し付けるテープラインを設けることができる。これらのテープラインは、優先的には、ピン収集胴１３が、折りブレード胴１１とともに形成する入口間隙まで延在することになる。あるいは、テープラインは、くわえ胴２０まで延在させることもできる。上記は、テープラインが、上側テープとして折丁を収集胴に押し付け、次いで下側テープとして折りブレード胴の周囲に延在し、すなわち折丁の下に位置することを意味する。あるいは、優先的には概ね半径方向に並んだピン１６上に折丁１５を摺動させるために、例えば空気圧で作動するブラシまたはスリットストリップなどの他の手段を設けることもできる。
【００１７】
ピン収集胴１３がさらに回転するごとに、ピン収集胴１３の周面上に折丁１５がさらに引っ掛けられ、ここでは折丁とは、連続したウェブから断裁された、すなわち個々に切り離されたコピーを意味する。かかるコピーまたは折丁は、１つまたは複数の層からなることができる。
【００１８】
例示的な実施形態に示すように、グリッパ胴１１として設計された折りブレード胴１１が、胴対１２の下流に配置され、このグリッパ胴１１は、グリッパ１８を用いて、ピン収集胴１３から折丁または折丁集積体を受け取ることができ、ピン収集胴１３のピン１６は、固定して設計され、その場合位置を動かすことができない。
【００１９】
次いで、折丁集積体は、グリッパ胴として設計された折りブレード胴１１のグリッパ１８によって、ピン収集胴１３のピン１６から引き離すことができる。
【００２０】
この引離しは、ピン収集胴１３の周面上で、所望の冊数の折丁１５が収集されると行われ、グリッパ１８が適切に作動し、折丁集積体をピン収集胴１３のピン１６から引き離し、それらの折丁集積体は、折りブレード胴１１の周面上で前方に搬送される。その後、ピン収集胴１３上では、新たな収集動作が開始され、この収集動作は、グリッパ１８が閉じる、または把持する制御インパルスを受け取るまで終了しない。
【００２１】
ピン収集胴１３上で折丁集積体として収集することができる折丁の最大冊数Ｎは、ピン収集胴１３と、折りブレード胴１１との間で形成される胴間隙１９の幅ｘによって制限される。胴間隙１９が広くなるほど、より多くの折丁を折丁集積体として収集することができる。幅ｘを調整することが可能となるように、ピン収集胴１３によって、折りブレード胴１１までの距離を拡大または減少させることができる。この目的で、収集胴１３は、例えば、偏心して動くことができる軸受上に配置することができる。
【００２２】
図１に示すグリッパ胴１１を折りブレード胴として使用することが好ましいが、折りブレード胴１１はまた、ピン胴によって設けることもでき、その場合、ピン収集胴１３のピン１６は、折丁集積体がピン収集胴１３から、ピン胴として設計された折りブレード胴１１に移送される際に、ピン収集胴１３のピン１６を折丁集積体から係脱させることができる形で、再配置可能に設計される。この目的で、ピン１６は、例えば制御された形で格納することができる。
【００２３】
グリッパ胴として設計された折りブレード胴１１のグリッパ１８の代わりに、またはピン胴として設計された折りブレード胴１１のピンの代わりに、折りブレード胴領域内での折丁または折丁集積体の保持はまた、他の保持手段、例えば静電気によって行うこともできる。折りブレード胴１１はまた、折りブレードおよび移送胴としても説明される。
【００２４】
既に説明したように、折丁集積体は、ｎ冊（ｎ＝１からＮ）の折丁を備えることができ、したがって折丁集積体はまた、単一の折丁を意味することもある。折丁１５は、印刷された基材、特に印刷された基材ウェブから、断裁装置を用いて判型可変に断裁することができ、この断裁装置は、図１には示されないが、胴対１２の上流に配置されている。断裁装置２１は図２に示されている。
【００２５】
本発明による折り装置１０によって、製造モード中に、したがって折り装置１０を停止せずに、折り装置１０の非収集モードと収集モードとの間で変更することが可能となり、収集モードでは、折丁集積体として収集すべき折丁の冊数ｎも同様に、折り装置１０を停止せずに変更することができる。
【００２６】
基材から折丁１５を断裁する働きをする断裁装置２１と、ピン収集胴１３との間には、優先的には、個々の折丁１５同士の間隔を拡大するために、断裁された折丁１５用の加速装置２２（図２参照）を備えた加速区画が形成され、したがってこれらの折丁１５を、規定された形でピン収集胴１３に送ることができる。
【００２７】
ピン収集胴１３上で折丁１５を折丁集積体として収集する際、収集動作中に、全ての折丁１５がピン収集胴１３上で、すなわちピン収集胴１３のピン１６上で串刺しに保持されるので、個々の折丁１５が互いに滑り落ちる危険がない。
【００２８】
したがって、折り装置１０の動作中、印刷された基材から断裁された個々の折丁１５は、加速区画を経由して胴対１２に送られる。この場合、個々の折丁１５の前縁が、胴対１２の間、すなわちピン収集胴１３とカウンタ胴１４との間で挟持され、その後、ピン収集胴１３のピン１６は、新たに送られてきた折丁１５を刺通し、このようにして、折丁１５をピン収集胴１３上で串刺しにしていく。折丁集積体として収集することができる折丁１５の冊数は、ほぼ任意の冊数であり、折丁収集胴１３と、折りブレード胴１１との間の胴間隙１９の幅ｘによってのみ制限される。折丁集積体がピン収集胴１３からグリッパ胴１１上へと移送されるとき、グリッパ胴１１のグリッパ１８を用いて受取りが行われ、その後、折丁集積体に横折りが行われ、すなわち、グリッパ胴１１として形成された、図示されてはいない折りナイフまたは折りブレード胴１１が、くわえ胴２０の図示されてはいないくわえ間で、それぞれの折丁集積体を押圧する。
【００２９】
収集が続けられる場合、グリッパ胴１１のグリッパ１８は、ピン収集胴１３から折丁集積体を受け取るのではなく、前記集積体を、少なくとも次の収集動作のためにピン収集胴１３上に残しておく。
【００３０】
図２は、本発明による折り装置１０を、印刷機の一部として示す。この印刷機は、優先的にはデジタル印刷機として設計され、ウェブ状基材を判型可変に印刷することが可能なデジタル印刷ユニット２３を備える。この印刷機はまた、フレキソ印刷、輪転グラビア印刷、または他の印刷方法に従って動作させることができる。ここで決定的なことは、この印刷機は、判型可変な形で、すなわち特に、巻かれていない方向において、異なる長さで印刷することが可能であるということである。さらに、この印刷機は、判型可変に印刷されたウェブ状基材から個々の折丁１５を判型可変な形で、すなわち異なる断裁長さで断裁するための断裁装置２１を備える。さらに、この印刷機は、胴対１２の領域で折丁１５を判型可変に収集してから、折丁１５または折丁集積体を判型可変に折り畳む、上述の折り装置１０を備える。
【００３１】
図２によれば、個々の折丁１５の断裁の前に、印刷されたウェブ状基材に縦方向断裁部２５を有して、または有さずに縦折りを行うための四つ折り装置２４を、断裁装置２１の上流に配置することができる。図示の１台の四つ折り装置２４に加えて、対応する複数台の四つ折り装置をやはり設けることができ、その結果、対応する数の層を備えた折丁が形成される。
【００３２】
基材ウェブを四つ折り装置に通過させて案内するために、適切な偏向ローラを設けることができる。
【００３３】
断裁装置２１の下流に配置された加速装置２２は、折丁１５をピン収集胴１３の周速度まで加速する働きをする。
【００３４】
四つ折り装置２４は、優先的には水平に配置されたフォーマとして実施される。
【００３５】
図示のデジタル印刷機の好ましい例示的な実施形態では、丁合機２６、および四つ折り装置２９が、くわえ胴２０の下流に配置されており、そこで折丁集積体として収集された折丁１５に横折りを行うことができる。
【００３６】
丁合機２６は、四つ折り装置２９の手前または上流で、横折りされ、かつ適用可能な場合には縦折りされた任意の冊数の折丁１５を収集する働きをする。少なくとも横折りされた折丁はまた、セクションまたはブックと呼ばれ、くわえ胴２０から排出され、丁合機２６内で順次重ね合わされ、それによって収集される。
【００３７】
四つ折り装置２９は、丁合機内で収集されたセクションまたはブックに縦折りを行う働きをする。縦折りは、単一のセクションまたはブックを収集した後、または複数のセクション／ブックを収集した後のどちらでも実行することができ、その後、合わせて四つ折りすると、例えば（大判）新聞になる。合わせて縦折りされるセクションまたはブックの冊数は、所望の冊数のセクションまたはブックが丁合機に収集されたときだけ折り動作を実行する、四つ折り装置２９の対応する動作によって決まる。
【００３８】
印刷機の第１の製造モードでは、くわえ胴２０の領域にある折丁は、四つ折り装置２４の領域で横折りされ、適用可能な場合には、縦折りされ、かつ／または縦方向に断裁されたものであり、これらの折丁、あるいはかかる折丁１５の対応する折丁集積体は、丁合機２６上で収集することができ、その後、四つ折り装置２９の領域内でこれらの折丁に対して第１の縦折り、または適用可能な場合には第２の縦折りを行うことができる。その後、横折りされ、一重または二重に縦折りされた折丁１５または折丁集積体は、縦折り送達部２７を経由して送達することができ、この送達部２７は、図の平面に延在していても、またはそこから外れていてもよい。
【００３９】
第２の製造モードでは、折丁１５は、くわえ胴領域で横折りされ、適用可能な場合には四つ折り装置２４の領域で縦折りされ、かつ／または縦方向に断裁されたものであり、これらの折丁１５、あるいはかかる折丁１５の対応する折丁集積体は、四つ折り装置２９および丁合機２６を迂回しながら、横折り送達部２８を経由して直接送達することができる。
【００４０】
好ましい例示的な実施形態では、折りブレード胴１１には、胴綴じ装置３０が割り当てられ、この胴綴じ装置３０を用いて、折丁集積体として収集された折丁１５を綴じることができ、すなわちくわえ胴２０の領域で横折りを行う前に綴じることができる。丁合機２６上での折丁集積体の収集は、横折りされ、適用可能な場合には綴じられた、変動可能な任意の冊数の折丁集積体に対して行われる。
【００４１】
本発明による印刷機は、いわゆるタブロイド判、および大判（新聞）印刷製品の製造に特に有利に使用することができる。
【００４２】
一般に、大判とは、様々な新聞判型の中で最大のものを意味し、非常に長い頁高さを特徴とする。従来技術によれば、大判判型の新聞は、輪転印刷機を用いて製造され、新聞の２、４、または６頁が、基材ウェブ上で垂直に互いに隣接して印刷され、その後、適用可能な場合には互いに隣接した２頁分の幅で縦方向に断裁され、フォーマによって縦折りされる。四つ折り時に、大判新聞のセクションまたはブックの背が形成される。大判新聞の異なるセクションまたはブックが順次重ね合わされ、基材ウェブから一体に断裁され、さらに折り胴上で横折りされ、その結果、配送折りが施されたセクション／ブックが、完成した新聞製品として組み合わされる。このようにして製造された大判新聞の場合、折り胴のピンの綴じ目は、新聞の下側マージンに見られる。
【００４３】
タブロイド判型の印刷製品、特にタブロイド判新聞は、大判印刷製品の約半分の寸法である。従来技術による輪転印刷機では、タブロイド判２頁分が、大判１頁分の面積に水平に印刷され、基材ウェブが、四つ折り中に、タブロイド判製品の頁高さで縦方向に切り開かれ、その結果ウェブの一部が順次重ね合わされる。その後、この製品は基材ウェブから断裁され、折り胴によって横折りされ、その結果タブロイド判新聞の背が形成される。タブロイド判型の場合、ピンの刺通孔は側部に位置し、この印刷製品は、ただ１つのセクションまたはただ１つのブックからなる。
【００４４】
本発明による印刷機を用いると、特に有利には、印刷製品を少ない印刷部数で、すなわち一部から任意の部数まで、容易に製造することが可能となる。
【００４５】
本発明に従って大判印刷製品、特に大判新聞３１（図３）を製造するには、印刷製品の全頁を、基材ウェブ３５の前面および後面に水平に順次印刷する。２頁分以上の高さＡの幅の基材ウェブを使用し、基材ウェブ３５上に２頁分以上を順次印刷することも可能である。その場合、基材ウェブを頁高さに縦方向に切り開き、そのウェブの一部を順次重ね合わせる四つ折り装置がそれぞれ設けられる。
【００４６】
その後、それぞれが印刷製品の２頁分（および裏頁）を備えた折丁が基材ウェブ３５から断裁され、収集胴１２（図２）に送られ、そこで大判印刷製品３１のセクションまたはブックの全折丁が収集される。
【００４７】
収集動作の完了後、収集された折丁集積体に横折りが施され、その結果、大判新聞のセクションまたはブックの背３２が形成される。
【００４８】
横折りによって形成されたセクションまたはブックも同様に収集され、優先的には丁合機２６（図２）上で順次重ね合わされ、すなわち集積される。
【００４９】
大判物新聞３１の全てのセクションまたはブックが収集されると、四つ折りによっていわゆる配送折り３３が施され、その結果、セクション／ブックが大判新聞３１として一体に合わされる。次いで、このようにして完成した新聞３１を、縦折り送達部２７に送達することができる。
【００５０】
このようにして製造された大判新聞３１では、背が横折りによって形成され、ピンホール３４、すなわち収集胴のピンの刺通孔が新聞の側方マージンに位置する。
【００５１】
タブロイド判印刷製品、特にタブロイド判新聞４１（図４）を製造するには、印刷製品の全頁を最初に、基材ウェブ４０の前面および後面に水平に順次印刷しておく。
【００５２】
その後、それぞれが印刷製品の２頁分を備えた折丁が基材ウェブ４０から断裁され、収集胴１２（図２）に送られ、そこでタブロイド判印刷製品の全折丁が収集される。
【００５３】
収集動作の完了後、収集された折丁集積体に横折りが施され、その結果、タブロイド判新聞の背４２が形成される。
【００５４】
次いで、このようにして完成したタブロイド判新聞４１を、横折り送達部２８に送達することができる。
【００５５】
望むなら、折丁集積体は、折りブレード胴１１に接する綴じ装置３０によって一体に綴じることができる。
【符号の説明】
【００５６】
１０  折り装置
１１  折りブレード胴
１２  胴／収集胴
１３  ピン収集胴
１４  カウンタ胴
１５  折丁
１６  ピン
１７  プラスチックストリップ
１８  グリッパ
１９  胴間隙
２０  くわえ胴
２１  断裁装置
２２  加速装置
２３  デジタル印刷ユニット
２４  四つ折り装置
２５  縦方向断裁部
２６  丁合機
２７  縦折り送達部
２８  横折り送達部
２９  四つ折り装置
３０  胴綴じ装置
３１  大判印刷製品／大判新聞
３２  背
３３  配送折り
３４  ピンホール
３５  基材ウェブ
４０  基材ウェブ
４１  タブロイド判印刷製品／タブロイド判新聞
４２  背
【図１】
0005763120.tif 000002
【図２】
0005763120.tif 000003
【図３】
0005763120.tif 000004
【図４】
0005763120.tif 000005